(57)【特許請求の範囲】
【請求項１】
電気コード(7)を箱主体(1)の背面から導入して内部の電気部品群を備える基板(10)に電気接続する構成の操作盤において、
箱主体(1)は、壁面側に添設される底半体(B)と、この正面側を被覆し操作部を具備する正面半体(A)とからなり、前記底半体(B)の底部平面部と前記基板(10)との間には空間が設けられ、前記底部平面部には前記底半体(B)の内外を連通させると共に電気コード(7)を導入する為の筒部(6)が設けられ、前記筒部(6)には前記電気コード(7)を一本ずつ挿通状態に保持するゴム製の保持体が抜止め状態に挿入固定され、前記底半体(B)の前記底部平面部には前記電気コード(7)を一本ずつ絡ませて係止する係止具(60)が前記空間内に突設され、
前記電気コード(7)は、基板(10)側に接続される内部コード(71)と、箱主体(1)の外部から前記空間内に導入される外部コード(72)とからなり、これら内部コード(71)と外部コード(72)とはコネクターにより取り外し可能に接続され、前記空間は前記コネクターを収容できる大きさとし、前記基板(10)は正面半体(A)側に取付けられ、前記正面半体(A)と底半体(B)とを分離自在に結合したことを特徴とする操作盤の電気接続構造。
【請求項２】
請求項１に記載の操作盤の電気接続構造において、前記基板(10)を取り外し可能としたことを特徴とする操作盤の電気接続構造。
【請求項３】
請求項１又は２に記載の操作盤の電気接続構造において、前記底半体(B)を合成樹脂製とすると共に、前記係止具(60)は底半体(B)の底部平面部と一体的に成型されると共に、前記底部平面部から直立する中央突起(62)とその両側に突出する一対の挟持突起(63)(63)とからなり、前記中央突起(62)と前記挟持突起(63)の間の間隙は電気コード(7)を圧入するのに適する間隙に設定したことを特徴とする操作盤の電気接続構造。
【発明の詳細な説明】
【０００１】
【発明の属する技術分野】
この発明は、操作盤の電気接続構造、特に、壁面に添設固定される操作盤への信号ケーブル等の接続構造に関するものである。
【０００２】
【従来の技術】
この種、電気接続構造としては、給湯器等のリモコン操作盤で、浴室壁面や台所壁面に添設固定される構成のものが知られている。
このリモコン操作盤は、図１に示すように、操作盤の主体部となる箱主体(1) の背面に信号コード及び電源コード（以下電気コード(7) という）を導入する為の筒部(6) が設けられ、この筒部から導入された前記電気コード(7) は、前記箱主体(1) 内の制御部品用の基板(10)に接続される。
【０００３】
【発明が解決しようとする課題】
この、前記箱主体(1) の取扱の際に、前記電気コード(7) に張力が作用すると箱主体(1) の内部における前記電気コード(7) と前記基板(10)の端子との接続部等にも前記張力が作用することとなり、この張力が原因で接続部がゆるんだりすることがあり、これにより電気接続不良が生じ易い。そこで、この張力が作用するのを防止するために、従来の操作盤では、前記筒部(6) 内にコード固定手段(62)を具備させている。このコード固定手段(62)は、電気コード(7) と前記筒部(6) との間の滑りを防止すると共に必要に応じて緩められるような構成に仕上げる必要があることから、前記固定手段(62)及びこれを収容する部分全体の嵩が高くなると共に構造が複雑になるという不都合がある。
【０００４】
請求項１の発明は、『電気コード(7) を箱主体(1) の背面から導入して内部の電気部品群を備える基板(10)に電気接続する構成の操作盤』において、前記電気コードに張力が作用したとしても、前記電気コードが緩むことなく箱主体(1) 内に固定できるようにすると共に、この固定の為の構成が簡単でしかも固定の為の手段の嵩が低くできるようにすることをその課題とする。
【０００５】
請求項２以下の発明は、前記課題を解決することに加えて、効果の欄に記載の効果を発揮させるようにすることを課題とする。
【０００６】
【課題を解決するための手段】
上記課題を解決する為に講じた請求項１の発明の課題解決手段は『箱主体(1)は、壁面側に添設される底半体(B)と、この正面側を被覆し操作部を具備する正面半体(A)とからなり、前記底半体(B)の底部平面部と前記基板(10)との間には空間が設けられ、前記底部平面部には前記底半体(B)の内外を連通させると共に電気コード(7)を導入する為の筒部(6)が設けられ、前記筒部(6)には前記電気コード(7)を一本ずつ挿通状態に保持するゴム製の保持体が抜止め状態に挿入固定され、前記底半体(B)の前記底部平面部には前記電気コード(7)を一本ずつ絡ませて係止する係止具(60)が前記空間内に突設され、
前記電気コード(7)は、基板(10)側に接続される内部コード(71)と、箱主体(1)の外部から前記空間内に導入される外部コード(72)とからなり、これら内部コード(71)と外部コード(72)とはコネクターにより取り外し可能に接続され、前記空間は前記コネクターを収容できる大きさとし、前記基板(10)は正面半体(A)側に取付けられ、前記正面半体(A)と底半体(B)とを分離自在に結合した』ことである。
上記解決手段はつぎのように作用する。
【０００７】
このものでは、電気コード(7)は前記筒部(6)から箱主体(1)内に導入されて基板(10)の電気部品と電気接続される。前記筒部(6)と前記電気部品との間の電気コードは、前記底部平面部と基板(10)との間を挿通するが、この途中で前記底部平面部から突出する係止具(60)に一本ずつ絡ませて係止される。これにより、この部分で前記電気コード(7)が緩み止めされる。また、前記電気コード(7)は、筒部(6)に固定された保持体(61)を一本ずつ挿通するから、この部分でも保持される。さらに、この保持体(61)を挿通する部分と前記係止具(60)とを通過するように配線された電気コード(7)は略直角に屈曲することとなるから、この屈曲部でも電気コード(7)の滑りが防止される。
【０００９】
このように、３か所で電気コードが係止される。
又、前記正面半体(A)と底半体(B)とを分離すると正面半体(A)側に取付けた基板(10)が露出する。そして、この基板(10)と底半体(B)の底部平面部の間の空間に位置するコネクターを取り外すと、基板(10)に接続されている内部コード(71)と、底半体(B)側を挿通する外部コード(72)とが分離される。従って、前記基板(10)に接続された内部コード(71)側でのみ基板(10)に装着された部品群の夫々が異常か正常かをチェックできる。
【００１０】
このとき、請求項２のように、『前記基板(10)を取り外し可能とした』構成とすれば、前記基板(10)の交換によって操作盤の修理が可能となる。
請求項３の発明は、前記何れかの発明において、前記係止具(60)の構成を限定したものであり、『前記底半体(B)を合成樹脂製とすると共に、前記係止具(60)は底半体(B)の底部平面部と一体的に成型されると共に、前記底部平面部から直立する中央突起(62)とその両側に突出する一対の挟持突起(63)(63)とからなり、前記中央突起(62)と前記挟持突起(63)の間の間隙は電気コード(7)を圧入するのに適する間隙に設定した』ことである。
【００１１】
このものでは、中央突起(62)と挟持突起(63)との間に電気コード(7) を通過する態様で圧入することにより、前記電気コード(7) を係止具(60)に係止できる。なお、この係止具(60)に電気コード(7) を係止する方法としては、前記電気コード(7) を前記中央突起(62)に巻き付けるようにして中央突起(62)の両側の挟持突起(63)との間の間隙に前記電気コード(7) が圧入されるように係止する方法も採用できる。
【００１２】
この場合、係止具(60)により係止作用が一層向上する。
【００１３】
【発明の効果】
請求項１の発明によれば、上記したように、箱主体(1) に導入される電気コード(7) が保持体(61)、係止具(60)、及び、両者の間の電気コード(7) の屈曲部の３か所で滑り止め状態に係止されるから、電気コード(7) に張力が作用したとしても、基板(10)との接続部には前記張力が作用しない。
【００１４】
又、底半体(B)の底部平面部に係止具(60)を設けるだけであるから、筒部(6)のコード挿通部のみで固定する従来のものに比べてコードの緩み止めの為の構成が簡素化できる。さらに、電気コード(7)が基板(10)側の内部コード(71)と、底半体(B)側を挿通する外部コード(72)とに分離され、底半体(B)が正面半体(A)から分離できるから、前記基板(10)に装着された部品群の夫々の異常チェックがやり易い。
【００１５】
請求項２の発明によれば、前記効果に加えて、前記基板(10)の交換による操作盤の修理が簡単である。
請求項３の発明によれば、係止具(60)による電気コード(7)の係止が簡単であり、加えて、この係止具(60)は、底半体(B)の底部平面部と一体に射出成型によって製作できるから、構成が一層簡素化できる。
【００１６】
また、中央突起(62)に巻き付けるように電気コード(7) を係止した場合には、この係止具(60)による電気コードの係止が一層確実となる。
【００１７】
【発明の実施の形態】
本発明は、例えば、給湯器付の風呂装置のリモコン操作盤に実施される。通常、この種のリモコン操作盤では、浴室用のリモコン操作盤（浴室リモコン）と台所に設置される主操作盤（メインリモコン）とがある。
図２以下に示す実施の形態は浴室リモコンに本発明が実施されたものである。
【００１８】
この浴室リモコンでは水密性が要求されるが、図２の正面図及び図４の断面図に示すように、基板(10)を収容し、スイッチ(3) や補助操作体(1b)等を内蔵した箱主体(1) と、この箱主体(1) の正面をカバーするカバー体(2) とからなる構成である。
前記浴室リモコンには、正面中央に４つの主操作体(1a)(1a)が縦横に並設され、その左側には、蛍光表示管式の発光表示ユニット(5) の正面をカバーする窓板(51)が露出している。この窓板(51)は光透過性合成樹脂からなる。右側には、左右方向外側に開く態様の蓋板(21)が設けられている。
【００１９】
前記箱主体(1) は、正面半体(A) とこれの背面側に開放部を閉塞する底半体(B) とからなる。前記正面半体(A) には、基板(10)が取付けられている。この基板(10)の正面側には、前記各主操作体(1a)によって操作されるスイッチ(3) 、隠しスイッチ(30)(30)、及び、前記発光表示ユニット(5) が取付けられ、背面側にはその他の制御素子が取付けられている。
【００２０】
前記正面半体(A) の正面側の平面には、前記蓋板(21)によって被覆される範囲に隠しスイッチ(30)(30)の操作部となる補助操作面部(22)が設けられ、前記主操作体(1a)(1a)の背面側に一致する部分には補助操作体(1b)(1b)が設けられている。
前記補助操作面部(22)の表面は、図４の断面図に示すように、前記隠しスイッチ(30)(30)用の操作ボタン(301)(301)の配置部の表面全域が１枚の押えシート(172) によって被覆された構成であり、前記操作ボタン(301) と正面半体(A) との可動間隙は前記押えシート(172) によって密封され、この操作部の水密が確保されている。なお、前記押えシート(172) における前記操作ボタン(301) と対向する部分は、正面半体(A) に設けたボタン孔を閉塞する部分的な可動部で、これが操作部となる。
【００２１】
［補助操作体(1b)］
また、前記補助操作体(1b)は、図４及び図５の断面図に示すように、２つの合成樹脂製の第１レンズ体(101) 及び第２レンズ体(102) からなり、前記第２レンズ体(102) は周縁部からフランジ部が張り出し、このフランジ部の内周域に形成された凹陥部(103) 内に前記第１レンズ体(101) が収容されている。そして、これら２つの第１レンズ体(101) と第２レンズ体(102) が重なり合って、前記スイッチ(3) の発光部(32)からの光を主操作体(1a)の全域に効率的に集光できるようなレンズ構成としてある。
【００２２】
前記補助操作体(1b)は前記正面半体(A) に形成した凹陥部(18)に収容され、この凹陥部(18)内にて正面−背面方向に往復移動可能に構成されている。なお、前記正面半体(A) の正面側の平面で前記４つの補助操作体(1b)(1b)の配設部は、図５のように、弾性合成樹脂シート又は柔軟な合成樹脂シートからなる押えシート(171) によって被覆される。従って、前記凹陥部(18)(18)に収容された補助操作体(1b)(1b)は移動自在に保持されると共にこの移動自在とするための間隙部等の正面側が前記押えシート(171) によって被覆されて、この部分の水密が確保される。
【００２３】
［窓板(51)の特徴］
前記窓板(51)は、正面半体(A)と一体的に構成されているが、この実施例では、所謂２色成型により一体化している。前記発光表示ユニット(5)は扁平な直方体であり、その正面よりも少し小さい範囲が有効表示域であり、この有効表示域よりも僅かに小さな開口(25)が前記正面半体(A)に形成される態様で、１回目の射出成型が実行され、その後、前記開口(25)を被覆する矩形の範囲に図４に示すように窓板(51)の部分を光透過性の所謂スモークタイプの合成樹脂により２回目の射出成型をする。これにより、カバー体(2)の正面に露出する前記窓板(51)の正面からの外観は、前記窓板(51)の周縁と前記開口(25)の周縁との間が、帯状に縁取りされた外観となる。この例では、前記窓板(51)を赤みがかったスモーク色とし、正面半体(A)を薄いグレー色としている。これにより、前記縁取り部分は濃いグレー色に見えるものとなる。
【００２４】
上記構成の正面半体(A) の周縁端面と底半体(B) の周縁端面との間に環状のパッキング(26)が介在されて水密が確保され、複数カ所をネジ止めすることにより、正面半体(A) と底半体(B) とによって扁平な箱状の箱主体(1) が構成される。この状態では、補助操作面部(22)の部分及び補助操作体(1b)(1b)の配置部及び窓板(51)の配置部の各部の水密が上記のようにして確保されたものとなる。
【００２５】
なお、この例では、前記正面半体(A) の正面はカバー体(2) によってカバーされているが、このカバー体(2) に於ける前記窓板(51)と対応する部分には前記窓板(51)の正面側を嵌め込む開口(52)が形成されている。また、補助操作体(1b)(1b)の正面側には、図６及び図７に示すような、弾性板(13)の先端に設けた主操作体(1a)(1a)が対接しており、この主操作体(1a)(1a)の正面側がカバー体(2) の表面に露出している。この主操作体(1a)の断面の構成及びカバー体(2) の裏面に取付けられる連結桟(14)を備える。
【００２６】
このものでは、スイッチ(3) の発光部(32)からの光は、第１レンズ体(101) 及び第２レンズ体(102) を介して前記主操作体(1a)の裏面の表示印刷層(11)に集光されるから、この表示印刷層(11)の散乱により当該部分の表示が透明の主操作体(1a)を介して浴室リモコンの正面からよくみえることとなる。
この箱主体(1) 内へ導入される電源コード及び信号コード等の電気コード(7) （外部コード(72)）は、底半体(B) の中央の筒部(6) に水密状態に嵌着したゴム製のブッシング(61)に挿通させて、箱主体(1) 内に導入している。そして、この箱主体(1) 内で、前記スイッチ(3) 、隠しスイッチ(30)、及び、制御素子等に配線される。前記ブッシング(61)を前記電気コード(7) が挿通すると、この挿通部の摩擦によって滑り止め状態に仮止めされる。
【００２７】
［配線止め］
この底半体(B) の内面には、図９、及び、図１０に示すような係止具(60)を設けている。この係止具(60)は、底半体(B) と一体に形成された扁平な中央突起(62)と、これを挟んで対向する扁平な挟持突起(63)(63)とからなり、前記中央突起(62)と前記挟持突起(63)の扁平な断面が相互に平行となる態様に前記各突起が並設された構成である。前記係止具(60)(60)が、図８に示すように、底半体(B) の底部平面部に複数個配置されている。
【００２８】
前記中央突起(62)と挟持突起(63)との間の間隙は、その両端を除く部分では、前記突起先端に向かって徐々に広くなるようにし、各突起の断面の両端からリブ(R) が対向突出し、これらリブ(R)(R)の頂部相互の間隔は前記各突起の先端側から基端までの間でほぼ一定となっている。
従って、上記態様で箱主体(1) 内に導入された電気コード(7) は、図９の二点鎖線で示すように前記中央突起(62)と挟持突起(63)との間に押し込まれると、この部分の摩擦によって摺動しにくい状態に挟持される。特に、前記リブ(R)(R)によって挟持されることから、この部分の挟持による係止作用が一層確実となる。なお、図９の線図及び図１０に示すように前記中央突起(62)に前記電気コード(7) を巻き付けると共に、前記電気コード(7) を対向する前記リブ(R) (R) 間に圧入するようにすると、電気コード(7) の摺動が一層確実に防止できる。従って、電気コード(7) が底半体(B) の内面に安定的に保持されることとなる。
【００２９】
なお、この実施の形態では、図４のように前記底半体(B) の背面と前記筒部(6) の背面側の端部とが同一平面に位置するように設定され、前記筒部(6) の外周域に環状の弾性パッキン(64)が添設固定されている。そして、底半体(B) の背面の周縁には同様な環状の弾性パッキン(65)が添設固定されている。従って、この箱主体(1) を、透孔(M) を挿通する取付けねじ(N) によるネジ止め等の手段によって壁面に添設固定すると、前記ブッシング(61)によるシールに加えて前記環状の弾性パッキン(64)(65)により筒部(6) 内の水密が確保されたものとなる。
【００３０】
また、前記筒部(6) が底半体(B) の背面から突出しないから、壁面には前記電源コードや信号コードが挿通する穴があれば良く、浴室リモコン設置の為に大きな穴を開けたりする必要がない。
［補助操作体保持機構］
前記補助操作体(1b)(1b)の正面側の水密を図るために、図１１〜図１３に示すように、これら補助操作体(1b)(1b)の配置部の正面側は押えシート(171) によって被覆されているが、前記押えシート(171) は正面半体(A) の正面側表面に両面接着テープ(T) を用いて貼着されている。この例では、４つの補助操作体(1b)(1b)は図１１の二点鎖線で示すように、正方形の各コーナに一致する位置に配置され、これらの補助操作体(1b)(1b)を収容する凹陥部(18)(18)の間は平面部となっている。そして、この平面で前記凹陥部(18)(18)を囲む範囲は、前記両面接着テープ(T) によって帯状に貼着され、それに加えて、一方の辺に平行な中間辺部も帯状に貼着されている。従って、これら両面接着テープ(T) の間では、補助操作体(1b)の正面側表面と前記押えシート(171) の背面とは自由状態にある。
【００３１】
このことから、主操作体(1a)によって前記補助操作体(1b)の表面を被覆する押えシート(171) を押し込んでスイッチ(3) を作動させるとき、押えシート(171) の裏面と補助操作体(1b)の表面との間には、一定の相対移動の自由度があるから操作感が良い。スイッチ(3) のクリック操作感がそのまま生かされ操作感となる。
【００３２】
［電気接続の実際］
なお、箱主体(1) 内で上記電源コード及び信号コードを接続するために、図１４に示すように、箱主体(1) 内の基板(10)の裏面側の空間(600) の大きさは、前記コードを接続する為のコネクター(66)(67)を収容できる大きさとし、一方のコネクター(67)は、前記筒部(6) を挿通する電源コード及び／又は信号コード等の外部コード(72)の前記箱主体(1) 側の端部に設けられている。
【００３３】
従って、このものでは、周縁の接合用ともなる取付ネジ(N) を外して、箱主体(1) を正面半体(A) と底半体(B) とに分離した状態で、前記筒部(6) を挿通させた電源コード及び／又は信号コード等の外部コード(72)の内側の端部に前記コネクター(67)を取付けて、これを正面半体(A) 側の内部コード(71)に取付けられる他方のコネクター(66)と接続すれば、電気接続できることとなる。このとき、前記各コードが箱主体(1) 内で絡まり易いが、前記接続作業の際に、底半体(B) 側の係止具(60)(60)を用いて前記各コードを係止できるので、作業性がよい。
【図面の簡単な説明】
【図１】従来例の要部説明図
【図２】本発明の実施の形態の浴室リモコンの正面図
【図３】本発明の実施の形態の浴室リモコンの背面図
【図４】本発明の実施の形態のＸ−Ｘ断面図
【図５】本発明の実施の形態のＹ−Ｙ断面拡大図
【図６】主操作体(1a)と弾性板(13)の関係を示す正面図
【図７】主操作体(1a)と弾性板(13)の関係の側面図
【図８】本発明の実施の形態の浴室リモコンの底半体(B) の正面図
【図９】前記底半体(B) の係止具(6) の拡大図
【図１０】前記係止具(6) の拡大側面図
【図１１】押えシート(171) の平面図
【図１２】両面接着テープ(T) の平面図
【図１３】押えシート(171) の貼着構造の拡大図
【図１４】箱主体(1) 内のコード接続状態を示す要部断面図
【符号の説明】
(1) ・・・箱主体              (32)・・・発光部
(1a)・・・主操作体            (301) ・・操作ボタン
(1b)・・・補助操作体          (4) ・・・取付け金具
(10)・・・基板                (41)・・・支持板部
(11)・・・表示印刷層          (42)・・・ネジ孔
(12)・・・液晶表示部          (43)・・・透孔
(13)・・・弾性板              (44)・・・係合フック
(14)・・・連結桟              (5) ・・・発光表示ユニット
(15)・・・正面板              (51)・・・窓板
(16)・・・フランジ部          (C1)・・・接続部
(17)・・・押えシート          (A) ・・・正面半体
(18)・・・凹陥部              (B) ・・・底半体
(19)・・・カギ状凹部          (101) ・・第１レンズ体
(171) ・・押えシート          (102) ・・第２レンズ体
(172) ・・押えシート          (103) ・・凹陥部
(21)・・・蓋板                (R) ・・・リブ
(22)・・・補助操作面部        (6) ・・・筒部
(23)・・・弾性板              (61)・・・ブッシング
(24)・・・ボタン部            (60)・・・係止具
(25)・・・開口                (62)・・・中央突起
(26)・・・パッキング          (63)・・・挟持突起
(3) ・・・スイッチ            (64)・・・弾性パッキン
(30)・・・隠しスイッチ        (65)・・・弾性パッキン
(31)・・・アクチェータ        (66)(67)・コネクター
(R) ・・・リブ                (T) ・・・両面接着テープ
(411) ・・凹部
尚、各図中同一符号は同一又は相当部分を示す。
【図１】
0003668566.tif 000002
【図２】
0003668566.tif 000003
【図３】
0003668566.tif 000004
【図４】
0003668566.tif 000005
【図５】
0003668566.tif 000006
【図６】
0003668566.tif 000007
【図７】
0003668566.tif 000008
【図８】
0003668566.tif 000009
【図９】
0003668566.tif 000010
【図１０】
0003668566.tif 000011
【図１１】
0003668566.tif 000012
【図１２】
0003668566.tif 000013
【図１３】
0003668566.tif 000014
【図１４】
0003668566.tif 000015